(57)【要約】【課題】画像品質の低下を伴うことなく残量の少ない印刷記録剤の使用を抑制する。【解決手段】画像形成装置ＭＡは、カラー原稿の色情報をカラートナーで再現して用紙に印刷する。画像形成装置ＭＡは、複数色のトナーの残量をそれぞれ検出するトナーセンサ６１Ａ〜６１Ｄと、印刷対象のカラー原稿を構成する色のトナーの残量が、閾値以下、すなわち印刷対象のカラー原稿の色情報から算出される使用予定の色のトナー量以下か否かを判定する色変更判定部９１と、色変更判定部９１が閾値以下であると判定した場合、カラー原稿のうち、付属画像部Ｇ１２を残量の多い他の色のトナーに置き換える色設定処理部９２とを備えた。【選択図】図２
2018013617.tif 000002
【特許請求の範囲】
【請求項１】
予め準備された複数色の内の１色乃至は複数色の印刷記録剤でカラー原稿の色情報を再現して用紙に印刷する画像形成装置において、
前記複数色の印刷記録剤の残量をそれぞれ検出するセンサと、
印刷対象のカラー原稿を構成する色の印刷記録剤の残量が閾値以下か否かを判定する色変更判定手段と、
前記色変更判定手段が閾値以下であると判定した場合、カラー原稿のうち、色品質要求の高い主要画像部を除く付属画像部を残量の多い他の色の印刷記録剤に置き換える色設定処理手段とを備えたことを特徴とする画像形成装置。
【請求項２】
前記閾値は、前記印刷対象のカラー原稿の色情報から算出される使用予定の色の印刷記録剤の量であることを特徴とする請求項１に記載の画像形成装置。
【請求項３】
画像を表示する表示部を備え、
前記色設定処理手段は、前記残量の多い他の色の印刷記録剤に置き換えられた状態の複数の画像を候補画像として生成する候補画像作成手段と、前記候補画像を前記表示部にプレビューするプレビュー表示手段と、プレビュー中の候補画像から１の画像の選択を受付ける選択処理手段とを備え、選択された画像の印刷記録剤に置き換えることを特徴とする請求項１又は２に記載の画像形成装置。
【請求項４】
前記プレビュー表示手段は、前記候補画像を残量の多い印刷記録剤順に優先表示することを特徴とする請求項３に記載の画像形成装置。
【請求項５】
前記付属画像部は、線、枠、罫線及び背景画像の少なくとも１つである請求項１〜４のいずれかに記載の画像形成装置。
【請求項６】
予め準備された複数色の内の１色乃至は複数色の印刷記録剤でカラー原稿の色情報を再現して用紙に印刷する画像形成方法において、
前記複数色の印刷記録剤の残量をそれぞれ検出する検出ステップと、
印刷対象のカラー原稿を構成する色の印刷記録剤の残量が閾値以下か否かを判定する色変更判定ステップと、
前記色変更判定ステップにおいて閾値以下であると判定された場合、カラー原稿のうち、色品質要求の高い主要画像部を除く付属画像部を残量の多い他の色の印刷記録剤に置き換える色設定ステップとを備えたことを特徴とする画像形成方法。
【発明の詳細な説明】
【技術分野】
【０００１】
本発明は、予め準備された複数色の内の１色乃至は複数色の印刷記録剤でカラー原稿の色情報を再現して用紙に印刷する画像形成方法及び画像形成装置に関する。
【背景技術】
【０００２】
従来、デジタルカラー複合機やインクジェットカラープリンタなどの画像形成装置が多くの業種で利用されている。業種や画像形成装置の使用態様によっては、ある種類の原稿、例えば特定の色味を有するコンテンツや書類が相対的に多く印刷される場合があり、そのような場合、特定の色のカートリッジ内の記録剤（インクや粉体トナーをいう）が消費され、記録剤の交換サイクルが短くなり、また他の色の記録剤との交換バランスが崩れて、トナー交換の作業効率の低下を招いていた。また、記録剤がインクの場合、各色の容器を一体型にしたカートリッジも提供されている場合もあり、このような場合、１つの色のインクが空になると、他のインクに残量があっても全体として交換されてしまうため、無駄となっていた。
【０００３】
特許文献１には、印刷記録剤の残量が少ない場合に、残量の多い他の色の印刷記録剤を利用して画像全体に色変換処理を施して使用量を調整することで各色の印刷記録剤を同時に使い切る方法に代えて、検出された残量では、印刷対象となる全枚数の画像の印刷を行えないと判断した場合に、残量を有効に使用できる画像の選択処理を繰り返して、印刷対象中の画像の印刷順序を変える印刷システムが記載されている。こうすることで、画質を損なうことなく、印刷対象の画像を１枚でも多く印刷して印刷記録剤の残量の有効使用を図っている。
【先行技術文献】
【特許文献】
【０００４】
【特許文献１】特開２００７−３８５２０号公報
【発明の概要】
【発明が解決しようとする課題】
【０００５】
特許文献１に旧来技術として記載された、残量の多い印刷記録剤を利用して画像全体を色変換することで、残量の少ない印刷記録剤の使用を控えて各色の印刷記録剤を同時に使い切るようにした手法では、印刷記録剤の無駄はある程度抑制される一方、画像全体の色味を変化させるため画質低下という基本的な課題がある。
【０００６】
本発明は、上記課題に鑑みてなされたもので、画像のうち重要度の低い部分に対して色置換を施すことで、品質低下を伴うことなく残量の少ない印刷記録剤の使用を抑制する画像形成方法及び画像形成装置を提供するものである。
【課題を解決するための手段】
【０００７】
本発明に係る画像形成装置は、予め準備された複数色の内の１色乃至は複数色の印刷記録剤でカラー原稿の色情報を再現して用紙に印刷する画像形成装置において、前記複数色の印刷記録剤の残量をそれぞれ検出するセンサと、印刷対象のカラー原稿を構成する色の印刷記録剤の残量が閾値以下か否かを判定する色変更判定手段と、前記色変更判定手段が閾値以下であると判定した場合、カラー原稿のうち、色品質要求の高い主要画像部を除く付属画像部を残量の多い他の色の印刷記録剤に置き換える色設定処理手段とを備えたことを特徴とするものである。
【０００８】
また、本発明に係る画像形成方法は、予め準備された複数色の内の１色乃至は複数色の印刷記録剤でカラー原稿の色情報を再現して用紙に印刷する画像形成方法において、前記複数色の印刷記録剤の残量をそれぞれ検出する検出ステップと、印刷対象のカラー原稿を構成する色の印刷記録剤の残量が閾値以下か否かを判定する色変更判定ステップと、前記色変更判定ステップにおいて閾値以下であると判定された場合、カラー原稿のうち、色品質要求の高い主要画像部を除く付属画像部を残量の多い他の色の印刷記録剤に置き換える色設定ステップとを備えたことを特徴とするものである。
【０００９】
これらの発明によれば、予め準備された複数色の内の１色乃至は複数色の印刷記録剤でカラー原稿の色情報を再現して用紙に印刷が行われる。そして、印刷指示があると、センサによって、前記複数色の印刷記録剤の残量がそれぞれ検出され、色変更判定手段によって、印刷対象のカラー原稿を構成する色の印刷記録剤の残量が閾値以下か否かが判定され、色設定処理手段によって、前記色判定手段が閾値以下であると判定した場合、カラー原稿のうち、色品質要求の高い主要画像部を除く付属画像部が残量の多い他の色の印刷記録剤に置き換えられる。従って、印刷対象のカラー原稿を構成する色の印刷記録剤の残量が閾値以下である場合、付属画像部が残量の多い印刷記録剤に色置換されるのみで、色品質要求の高い主要画像部の色は変更されないので、画像品質が維持され、かつ残量の少ない印刷記録剤の使用が抑制される。
【００１０】
また、前記閾値は、前記印刷対象のカラー原稿の色情報から算出される使用予定の色の印刷記録剤の量であることを特徴とする。この構成によれば、印刷対象のカラー原稿を構成する色の印刷記録剤の残量が、印刷対象のカラー原稿の色情報から算出される使用予定の色の印刷記録剤より少ない場合に、色置換処理が実行されるので、残量不足の場合でも色置換によって印刷が実行されることになる。
【００１１】
また、本発明は、画像を表示する表示部を備え、前記色設定処理手段は、前記残量の多い他の色の印刷記録剤に置き換えられた状態の複数の画像を候補画像として生成する候補画像作成手段と、前記候補画像を前記表示部にプレビューするプレビュー表示手段と、プレビュー中の候補画像から１の画像の選択を受付ける選択処理手段とを備え、選択された画像の印刷記録剤に置き換えることを特徴とする。この構成によれば、残量のある色の印刷記録剤を利用して複数の候補画像を選択可能に提示するので、ユーザの所望する色味で色置換された画像が印刷可能となる。
【００１２】
また、前記プレビュー表示手段は、前記候補画像を残量の多い印刷記録剤順に優先表示することを特徴とする。この優先表示によって、印刷記録剤の残量状況が認識できるので、選択する際の判断要素として活用される。
【００１３】
また、前記付属画像部は、線、枠、罫線及び背景画像の少なくとも１つである。この構成によれば、付属画像部は固定的でなく適宜に選択可能となり、汎用性が増す。なお、さらに装飾画像を含めてもよい。
【発明の効果】
【００１４】
本発明によれば、画像品質の低下を伴うことなく残量の少ない印刷記録剤の使用を抑制できる。
【図面の簡単な説明】
【００１５】
【図１】本発明に係る画像形成装置の概略構成を示す側面断面図である。
【図２】色置換印刷モードを実行する機能部の第１実施形態を示すブロック図である。
【図３】色置換印刷モードの説明をする画像例で、（ａ）は通常印刷モードで印刷される画像の一例を示す図、（ｂ）は色置換印刷モードで印刷される画像の一例を示す図である。
【図４】色置換印刷モードの印刷処理Ｉを説明するフローチャートである。
【図５】色置換印刷モードを実行する機能部の第２実施形態を示すブロック図である。
【図６】前記第２実施形態における候補画像の表示例を示す選択画面図で、候補Ｉ〜ＩＶを例示している。
【図７】色置換印刷モードの印刷処理IIを説明するフローチャートである。
【図８】第３実施形態を説明するための、写真領域と文字領域とを有する原稿画像例で、（ａ）は通常印刷モードで印刷される画像の一例を示す図、（ｂ）は色置換印刷モードで印刷される画像の一例を示す図である。
【図９】色置換印刷モードを実行する機能部の第４実施形態を示すブロック図である。
【発明を実施するための形態】
【００１６】
図１に示すように、画像形成装置ＭＡは、画像形成部１０、中間転写部２０、二次転写部３０、定着部４０、給紙部５０、用紙搬送路６０を備える。また、必要に応じて、原稿画像を光学的に読み取る原稿読取部７０、及び自動原稿搬送装置８０を搭載している。画像形成装置ＭＡは、原稿画像を原稿読取部７０から取り込み、あるいは図外の情報処理装置に搭載されているアプリケーションソフトウェアによって作成された文書ファイルや画像ファイル、又は外部記憶部に格納されている文書ファイルや画像ファイルを通信部７１（図２参照）を介して取り込み、所定の画像処理を施すなどして記録紙への印刷（プリント）を行う。通信部７１は、無線式、有線式の他、ＵＳＢ等の記録媒体を装着して直接接続する端子を含む。
【００１７】
画像形成部１０は、公知のように、印刷のための各色の画像データを作成する回路部を備えると共に、レーザ走査ユニット１及びそれぞれ同様な構造を有する各色の画像形成部１０Ａ〜１０Ｄを備えている。レーザ走査ユニット１は、筐体を有し、その内部に色毎にレーザ素子、レーザ光走査用のポリゴンミラー等の光学部品が配置されている。レーザ走査ユニット１は、変換後の各色の画像データに対応して変調されたレーザ光で画像形成部１０Ａ〜１０Ｄの感光体ドラム２Ａ〜２Ｄの表面を軸方向（主走査方向）に沿って露光走査して、それぞれの静電潜像を形成する。代表して説明する画像形成部１０Ａは、感光体ドラム２Ａを備え、その周囲に回転方向（副走査方向）に沿って帯電器３Ａ、現像器４Ａ及びクリーナ部５Ａを備えている。現像器４にはトナーカートリッジ６が対応して配置されている。トナーカートリッジ６（６Ａ〜６Ｄ）は、色毎に印刷記録剤としてのトナーを収容したもので、内部の補給用スクリュー等の補給部材を駆動させるなどして、対応する現像器４に適宜トナー補給を行う。なお、印刷記録剤には、粉体トナー及びインクを含むが、以降では説明上、トナーと呼称する。
【００１８】
中間転写部２０は、中間転写ベルト２１、駆動ローラ２２、従動ローラ２３、一次転写ローラ２４Ａ〜２４Ｄを備え、感光体ドラム２Ａ〜２Ｄの周面に形成されたトナー像を中間転写ベルト２１の表面に一次転写する。二次転写部３０は、中間転写ベルト２１の表面のトナー像を記録紙へ二次転写する。定着部４０は、記録紙に転写されたトナー像を加熱して定着し、排紙トレイに排出する。給紙部５０は、給紙カセットや手差しトレイを備えており、選択された記録紙を、対応する給紙カセットから用紙搬送路６０に給紙する。
【００１９】
図２において、カラー印刷部１００は、画像形成部１０を含む画像形成の機構部全般、及び印刷対象の原稿画像から各色の画像データを作成する画像処理部を含む。カラー印刷部１００は、原稿読取部７０及び通信部７１から取り込んだ、各種画像データ、文書ファイルやグラフィックで作画された図形ファイル等の各種コンテンツの印刷を行う。
【００２０】
制御部９０は、例えばマイクロコンピュータで構成され、原稿読取部７０、通信部７１、カラー印刷部１００と接続されると共に、記憶部９０１、表示部１１０、入力部１２０及びトナーセンサ６１Ａ〜６１Ｄと接続されている。
【００２１】
記憶部９０１は、制御プログラム及び制御に必要な各種のデータ類を記憶するメモリエリア、処理途中の結果を一時的に記憶するワークエリアを含む。
【００２２】
また、記憶部９０１は、各種のオブジェクト画像データを記憶する。オブジェクトは、外部から取り込んだ主に主要部となる画像に合成などして付属させる、重要性の低い付属的な画像をいう。例えば、図３に示す、印刷されたカレンダーの画像Ｇ１０において、写真及びカレンダー部画像は、色品質要求の高い主要画像部Ｇ１１であり、枠及びリボン模様の画像は、色品質要求が相対的に低い装飾用の付属画像部Ｇ１２である。かかる付属画像部Ｇ１２を各種保管しておくことで、種々の主要画像部Ｇ１１にマニュアルであるいは自動的に選択して合成し、印刷出力することが可能となる。
【００２３】
表示部１１０は、画像を表示する液晶パネル等であり、入力部１２０は、外部から操作可能なタッチキーやマウスを備え、あるいはタッチパネルで構成されたものである。
【００２４】
トナーセンサ６１Ａ〜６１Ｄは、トナーカートリッジ６（６Ａ〜６Ｄ）にそれぞれ設けられ、カートリッジ内のトナー残量を検出するものである。トナー残量は、重量、補給した量に基づいて検出してもよいし、あるいは公知のような、図略の補給モータの駆動量から算出する検出方式を含む。
【００２５】
制御部９０は、記憶部９０１に記憶された制御プログラムがワークエリアで実行されることによって、色変更判定部９１、色設定処理部９２及び印刷画像処理部９３として機能する。そして、以下に示すように、制御部９０は、トナー残量に応じて重要性の低い付属画像部Ｇ１２の色味を変更してトナーの残量調整を行い、有効利用と交換タイミングの可及的一致を図るようにしている。
【００２６】
色変更判定部９１は、印刷指示を受けて、印刷対象とされた原稿画像である、１枚又は複数枚の対象画像の印刷で使用される各色のトナー量を、頁毎に各色の画像データから算出して積算し、一方、現在の、すなわち印刷前の各色のトナー残量を検出して、現在のトナー残量で、対象画像が全て印刷できるか否かを判定するものである。色変更判定部９１は、現在のトナー残量で、対象画像が全て印刷できると判定した場合、通常の印刷動作（通常印刷モード）を指示し、一方、現在のトナー残量では対象画像の全てを印刷できないと判定した場合、画像内の付属的画像の部分に対する色変更処理（色置換印刷モード）を指示する。なお、付属画像部Ｇ１２のオブジェクトが予め分かっている場合、各色のトナーの残量と付属画像部Ｇ１２でのトナー使用量とで過不足を判定すればよい。なお、色変更判定部９１は、主要画像部Ｇ１１で使用するトナーが、同色のトナー残量より多い場合、色置換処理を指示することなく、当該色のトナー不足を報知する。
【００２７】
色設定処理部９２は、付属画像部Ｇ１２を抽出して、元の色のトナーを残量の多いトナーに置換する。なお、置換するトナーは、残量が多いだけでなく、元の色に対して色相が近い色味が選択されてもよく、あるいは両者を考慮してもよい。また、色設定処理は、別の色のトナーに全て置換する方法の他、残量の多いトナーと混合する態様としてもよい。図３（ｂ）は、残量不足のトナーに代えて残量の多い（最多以外でもよい）トナーに置換した印刷画像Ｇ２０である。付属画像部Ｇ１２（図３（ａ））の色が置換されて、付属画像部Ｇ２２（図３（ｂ））に変更されている。
【００２８】
なお、主要画像部Ｇ１１は、写真等のように色味が重要視されるオブジェクトが代表として例示され、一方、付属画像部Ｇ１２は、線図やフレーム、グラフや表の枠線を含む罫線、背景等のように色味が重要視されないオブジェクトである。主要画像部Ｇ１１、付属画像部Ｇ１２の区分は、画像Ｇ１０の種類によっても変わり、必ずしも固定的である必要はない。
【００２９】
印刷画像処理部９３は、印刷指示を受けて、色置換が行われる前の元々の各色の画像を形成し、各色のトナー使用量の算出に適用するなどすると共に、判定の結果、色置換が行われない場合に通常印刷モードで画像処理を実行し、また色置換が行われる場合に色置換印刷モードでの印刷のための画像処理を実行して、カラー印刷部１００に出力するものである。
【００３０】
図４のフローチャートにおいて、図３の画像Ｇ１０を印刷対象画像とした例で、印刷処理Ｉを説明する。まず、印刷対象となる印刷原稿画像、印刷条件である印刷指示内容が取り込まれる（ステップＳ１）。印刷指示内容とは、用紙サイズ、カラー印刷の有無、部数等を含む。また、印刷原稿画像が主要画像部Ｇ１１である場合、付属画像部Ｇ１２を構成するオブジェクトが（マニュアルであるいは自動的に）読み出されて合成処理が行われる。
【００３１】
次いで、各色のトナー残量がチェックされる（ステップＳ３）。また、今回の印刷でのトナー使用量が算出される（ステップＳ５）。そして、残量不足か否かが判定され（ステップＳ７）、足りるのであれば、通常印刷モードが指示される（ステップＳ９）。一方、不足であれば、付属画像部Ｇ１２が他の色に置換され（ステップＳ１１）、次いで、置換された付属画像部Ｇ２２の合成された画像Ｇ２０に対して色置換印刷モードが指示される（ステップＳ１３）。カラー印刷部１００は、かかる色置換印刷モードの指示を受けて、印刷画像処理部９３から出力される画像Ｇ２０の印刷を行う。
【００３２】
図５に示すブロック図は、色置換印刷モードを実行する機能部の第２実施形態を示すもので、第１実施形態と異なる点は、制御部による処理において、ユーザが色置換処理に関与できるようにした点である。すなわち、図５において、制御部１９０は、記憶部９０１に記憶された制御プログラムがワークエリアで実行されることによって、色変更判定部９１、色設定処理部１９２及び印刷画像処理部９３として機能する。そして、色設定処理部１９２は、候補画像作成部１９２１、プレビュー表示部１９２２及び選択処理部１９２３を有する。
【００３３】
色設定処理部１９２は、色変更判定部９１から第１実施形態の場合と同様の色置換印刷モードの指示を受けた場合に、印刷する画像を直ちに作成して印刷画像処理部９３に出力することはせず、後述するように、まず、印刷候補の画像を複数種類作成し、作成した候補画像をユーザに提示し、ユーザの選択結果を印刷するようにしている。
【００３４】
候補画像作成部１９２１は、色変更判定部９１からの色置換印刷モードの指示を受けて、画像内の付属画像部に対して残量の多いトナーを利用して何通りかの色置換を行った候補画像を作成する。候補画像の順としては、例えば、残量の最も多いトナーに色置換した画像、次に残量の多いトナーに色置換した画像、残量不足のトナーの色に近い色が再現されるように色置換した画像、残量不足と判断されたトナーを低濃度あるいはあるパターンを有するテキスチャーに、すなわち使用量を抑制するように色置換した画像が考えられる。また、他の例として、残量の多い色のトナーとの間で、あるいは残量の多い色のトナー同士で適宜の混合色に変換してもよい。
【００３５】
プレビュー表示部１９２２は、候補画像作成部１９２１で作成された複数の候補画像をユーザに視認させるべく表示部１１０に表示する。図６は、その一例を示す表示部１１０の画面１１０ａである。画面１１０ａには、選択のためのガイダンスと共に、複数、ここでは４種類の候補画像Ｇ２０，Ｇ３０，Ｇ４０，Ｇ５０が表示されている。候補画像Ｇ２０は、残量が最も多いトナーで色置換された画像である。候補画像Ｇ３０は、残量が次に多いトナーで色置換された画像である。候補画像Ｇ４０は、１種類又は複数種類のトナーを用いて、残量不足のトナーの色に近い色が再現されるように色置換された画像である。候補画像Ｇ５０は、残量不足のトナーで低濃度、あるいはテキスチャーで色置換された画像である。なお、候補画像の選択推奨度は表示位置に対応しており、例えば、推奨度の低い画像、この例では、候補画像Ｇ５０は表示サイズを相対的に小さくしてもよい。なお、推奨度の提示は他の種々の方法が採用可能である。
【００３６】
選択処理部１９２３は、プレビュー表示部１９２２によって表示中の候補画像の中から何れの画像が選択されたかを受付けて、選択画像を特定する。例えば入力部１２０がタッチパネルである場合、タッチパネルの位置座標と表示部１１０の表示アドレスとが予め対応付けられていることで、タッチした位置に表示されている候補画像を特定することができる。そして、選択された候補画像は色設定処理部９２に出力される。
【００３７】
図７のフローチャートにおいて、画像Ｇ１０を印刷対象画像とした例で、印刷処理ＩＩを説明する。まず、印刷対象となる印刷原稿画像、印刷条件である印刷指示内容が取り込まれる（ステップＳ２１）。次いで、各色のトナー残量がチェックされる（ステップＳ２３）。また、今回の印刷でのトナー使用量が算出される（ステップＳ２５）。次いで、残量不足か否かが判定され（ステップＳ２７）、足りるのであれば、通常印刷モードが指示される（ステップＳ２９）。一方、不足であれば、色置換印刷モードと判定されて、印刷指示に応じてトナー使用量算出用として印刷画像処理部９３が形成した画像Ｇ１０に対して、付属画像部Ｇ１２の色を複数種類設定した候補画像が作成され（ステップＳ３１）、作成された複数種類の候補画像Ｇ２０〜Ｇ５０が表示部１１０にプレビュー表示される（ステップＳ３３）。次いで、候補画像Ｇ２０〜Ｇ５０のいずれかが選択されたか否かが判定され（ステップＳ３５）、選択された場合、選択された画像が印刷指示される（ステップＳ３７）。この結果、トナー残量の調整を図りながら、ユーザの希望にできるだけ応じた色味の画像の印刷が可能となる。
【００３８】
以上によれば、特に、主要画像部Ｇ１１と付属画像部Ｇ１２の色が同一あるいは、比較的一致する（例えば、主要画像部Ｇ１１が全体的に赤味がかった写真画像であり、かつ付属画像部Ｇ１２も同様に赤味がかった色であるような）場合に、付属画像部Ｇ１２の色置換を行うことで、重要度の高い主要画像部の色品質を損なうことなく、トナー残量の調整が図れる。
【００３９】
（第３実施形態）
また、第３実施形態として、印刷画像処理部９３が制御するカラー印刷部１００内の画像処理回路が、画像の種類毎に領域分離と種類判定を行う回路を備える一般的構成の場合、画像の種類を主要画像部と付属画像部とに予め対応付けておけば、取り込んだ画像を自動的に主要画像部と付属画像部とに分離でき、色置換処理領域を自動で設定することが可能となる。例えば、図８（ａ）に示すように写真領域Ｇ１０１と文字領域Ｇ１０２とを有する画像Ｇ１００が印刷対象とされた場合で、文字領域Ｇ１０２を印刷するトナーの残量が不足していると判定された場合、自動的に文字領域Ｇ１０２を色変換して図８（ｂ）のように、文字領域Ｇ２０２が色置換された画像Ｇ２００を印刷指示すればよい。以上の場合、コンテンツと付属画像部との合成によって形成される画像と異なり、例えば原稿読取部７０で読み取った画像に対しても、同様な色置換処理が実行可能となり、汎用性の高い装置となる。
【００４０】
（第４実施形態）
図９は、第４実施形態を示す構成図で、１又は複数台のパーソナルコンピュータ等の情報処理装置２００と通信可能に接続された画像形成装置ＭＡである。情報処理装置２００は、プロセッサを備えたマイクロコンピュータで構成された制御部２０１と、この制御部２０１と接続された、制御プログラムの記憶領域及びワークエリアを有する記憶部２０２と、画像を表示する表示部２０３と、キーボードやタッチパネル等の入力部２０４と、通信部７１と接続された通信部２０５とを備えている。記憶部２０２には、外部から取得し、乃至は情報処理装置２００で作成したカラー原稿画像が複数記憶可能である。第４実施形態では、画像形成装置ＭＡは、情報処理装置２００から印刷指示とカラー画像である印刷原稿画像とが印刷対象として送信されてくると、かかる印刷原稿画像に対して制御部１９０によって通常印刷モードあるいは色置換印刷モードを設定し、設定したモードで印刷を行う。このようにすることで、遠隔的に印刷指示を受付ける態様に対しても色置換印刷モードを適用することが可能となる。
【００４１】
（第５実施形態）
また、第５実施形態として、色置換の対象となる付属画像部Ｇ１２（図３参照）をユーザが選択可能にしてもよい。例えば図３において、外枠画像とリボン画像（装飾画像）とからなる付属画像部Ｇ１２のうち、いずれか例えば外枠画像のみを色置換の対象として選択するステップを、図４、図７のフローチャートに含めてもよい。なお、付属画像部を構成する画像、例えば図３の外枠画像とリボン画像の色が異なる場合、それぞれに対してトナー残量の過不足を判定すればよい。
【００４２】
また、本発明は、カラー画像を印刷する画像形成装置ＭＡに限定されず、プリンタにも適用可能であり、また、粉体トナー及びインクである印刷記録剤に適用可能である。
【００４３】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００４４】
ＭＡ  画像形成装置
６，６Ａ〜６Ｄ  トナーカートリッジ
６１Ａ〜６１Ｄ  トナーセンサ
９０  制御部
９１  色変更判定部
９２  色設定処理部（色設定処理手段）
９２１  候補画像作成部
９２２  プレビュー表示部
９２３  選択処理部
１１０  表示部
【図１】
2018013617.tif 000003
【図２】
2018013617.tif 000004
【図３】
2018013617.tif 000005
【図４】
2018013617.tif 000006
【図５】
2018013617.tif 000007
【図６】
2018013617.tif 000008
【図７】
2018013617.tif 000009
【図８】
2018013617.tif 000010
【図９】
2018013617.tif 000011